(57)【要約】【課題】  構成点数が増加する、或いは消費電力が増大するという課題を解決しつつ、画像ムラの課題を解決する定着装置を提供すること。【解決手段】  記録媒体上の画像形成材料を加熱する加熱源と、加熱された画像形成材料が担持された記録媒体を吸引搬送する搬送ベルトを備える画像形成装置において、吸引搬送する搬送ベルトの膜厚と吸引穴径が（式１）を満足することを特徴とする。ｄｂ・Φｂ・Ｋ＜４４．９・・・（式１）Ｋ：ρｂ・ｃｂ／λｐ・ρｐ・ｄｐ・ｃｐｃｐ：現像剤と紙の比熱（Ｊ／ｇ・Ｋ）ρｐ：現像剤と紙の密度（ｇ／ｃｍ３）ｄｐ：現像剤と紙の膜厚さ（ｍｍ）λｐ：現像剤と紙の熱伝導率（Ｗ／（ｍ・Ｋ））ｃｂ：ベルトの比熱（Ｊ／ｇ・Ｋ）ρｂ：ベルトの密度（ｇ／ｃｍ３）ｄｂ：ベルトの膜厚（ｍｍ）Φｂ：ベルトの穴径（ｍｍ）【選択図】図４
2020166081.tif 000002
【特許請求の範囲】
【請求項１】
記録媒体上に画像形成材料を画像形成する定着装置において、
前記記録媒体上の画像形成材料を加熱する加熱源と
加熱された画像形成材料が担持された記録媒体を吸引搬送する搬送ベルトを備える
画像形成装置において、
吸引搬送する搬送ベルトの膜厚と吸引穴径が
式（１）を満足することを特徴とする定着装置。
ｄｂ・Φｂ・Ｋ＜４４．９・・・（式１）
Ｋ：ρｂ・ｃｂ／λｐ・ρｐ・ｄｐ・ｃｐ
ｃｐ：現像剤と紙の比熱（Ｊ／ｇ・Ｋ）
ρｐ：現像剤と紙の密度（ｇ／ｃｍ３）
ｄｐ：現像剤と紙の膜厚さ（ｍｍ）
λｐ：現像剤と紙の熱伝導率（Ｗ／（ｍ・Ｋ））
ｃｂ：ベルトの比熱（Ｊ／ｇ・Ｋ）
ρｂ：ベルトの密度（ｇ／ｃｍ３）
ｄｂ：ベルトの膜厚（ｍｍ）
Φｂ：ベルトの穴径（ｍｍ）
【請求項２】
記録媒体上に画像形成材料を画像形成する定着装置において、
前記記録媒体上の画像形成材料を加熱する加熱源と
加熱された画像形成材料が担持された記録媒体を吸引搬送する搬送ベルトを備える
画像形成装置において、
吸引搬送する搬送ベルトの膜厚と吸引穴径が
式（２）を満足することを特徴とする定着装置。
ｄｂ・Φｂ・Ｋ＜２２．５・・・式（２）
Ｋ：ρｂ・ｃｂ／λｐ・ρｐ・ｄｐ・ｃｐ
ｃｐ：現像剤と紙の比熱（Ｊ／ｇ・Ｋ）
ρｐ：現像剤と紙の密度（ｇ／ｃｍ３）
ｄｐ：現像剤と紙の膜厚さ（ｍｍ）
λｐ：現像剤と紙の熱伝導率（Ｗ／（ｍ・Ｋ））
ｃｂ：ベルトの比熱（Ｊ／ｇ・Ｋ）
ρｂ：ベルトの密度（ｇ／ｃｍ３）
ｄｂ：ベルトの膜厚（ｍｍ）
Φｂ：ベルトの穴径（ｍｍ）
【発明の詳細な説明】
【技術分野】
【０００１】
本発明は、加熱源と吸引搬送ベルトから構成される定着装置に関する。
【背景技術】
【０００２】
加熱源は、画像形成材料を加熱する手段である。そして、吸引搬送ベルトは、搬送ベルトに空いた穴から画像形成材料を担持したメディアを吸引し搬送する手段である。
【０００３】
このような定着装置には、従来、吸引穴による画像ムラの課題があることが知られている。このような課題を解決するための手段として特許文献１や特許文献２が知られている。
【０００４】
特許文献１は、複数の搬送ベルトの穴と紙が接触する位置を異なる搬送ベルトごとでずらす構成により、吸引穴による画像ムラを抑制する。
【０００５】
特許文献２は、吸引搬送ベルトを加熱する構成をとることでベルト側に熱が逃げる影響を緩和する内容である。
【先行技術文献】
【特許文献】
【０００６】
【特許文献１】特開２０１３−０３４４１号公報
【特許文献２】特開２０１３−１１６６３８号公報
【発明の概要】
【発明が解決しようとする課題】
【０００７】
しかしながら、特許文献１では搬送ベルトの本数を増やすことにより構成点数が増加する課題が生じる。また、特許文献２では消費電力が増大するという課題が生じる。
【０００８】
そこで、本発明は、構成点数が増加する、或いは消費電力が増大するという課題を解決しつつ、吸引穴による画像ムラの課題を解決する定着装置を提供することを目的とする。
【課題を解決するための手段】
【０００９】
本発明に係る定着装置は、
記録媒体上の画像形成材料を加熱する加熱源と加熱された画像形成材料が担持された記録媒体を吸引搬送する搬送ベルトを備える画像形成装置において、吸引搬送する搬送ベルトの膜厚と吸引穴径が（式１）の範囲に入ることを特徴とする。
ｄｂ・Φｂ・Ｋ＜４４．９・・・（式１）
ｄ（ｍｍ）：搬送ベルトの膜厚
Φ（ｍｍ）：搬送ベルトの吸引穴径
Ｋ：ρｂ・ｃｂ  ／λｐ・ρｐ・ｄｐ・ｃｐ
ｃｐ：現像剤と紙の比熱（Ｊ／ｇ・Ｋ）
ρｐ：現像剤と紙の密度（ｇ／ｃｍ３）
ｄｐ：現像剤と紙の膜厚さ（ｍｍ）
λｐ：現像剤と紙の熱伝導率（Ｗ／（ｍ・Ｋ））
ｃｂ：ベルトの比熱（Ｊ／ｇ・Ｋ）
ρｂ：ベルトの密度（ｇ／ｃｍ３）
ｄｂ：ベルトの膜厚（ｍｍ）
Φｂ：ベルトの穴径（ｍｍ）
【発明の効果】
【００１０】
本発明に係る定着装置は、吸引搬送する搬送ベルトの膜厚と吸引穴径が式（１）を満足することを特徴とすることにより、構成点数が増加する、或いは消費電力が増大する課題を解決しつつ、吸引穴による画像ムラの課題を解決することができる。
【図面の簡単な説明】
【００１１】
【図１】請求項１に係る定着装置の概略構成を示す断面図である。
【図２】請求項１に係る記録媒体上での液体現像剤の断面を模式的に表した図である。
【図３】請求項１に係る記録媒体搬送装置と電磁波照射装置の断面図である。
【図４】請求項１に係る現像剤の温度段差を説明する図である。
【図５】請求項１に係るグロス段差を２°以下とするための搬送ベルトの膜厚と搬送ベルトの穴径φの関係をプロットした図である。
【図６】請求項２に係るグロス段差を１°以下とするための搬送ベルトの膜厚と搬送ベルトの穴径の関係をプロットした図である。
【発明を実施するための形態】
【００１２】
本発明の定着装置は、色剤を内包した樹脂と樹脂を内包するキャリア液からなる液体現像剤が担持される記録媒体に加熱源となる電磁波を照射する電磁波照射装置と、吸引機構を備えた記録媒体搬送装置を有し、（式１）を満たすことを特徴とする定着装置である。
【００１３】
キャリア液は、揮発性のキャリアオイルである。加熱源となる電磁波は、赤外線もしくは紫外線である。吸引機構は、搬送ベルトと吸引ファンから構成されている。
【００１４】
そして、（式１）を満たすことにより、吸引搬送穴に起因する画像ムラを視認できなくできる。そして、吸引搬送穴に起因する画像ムラを視認できなくできるため、構成点数が増加する、或いは消費電力が増大するという課題を解決しつつ、画像ムラの課題を解決する定着装置を提供することができる。
【００１５】
以下、図面を用いて本発明に係る表示装置について具体的に説明する。ただし、この実施形態に記載されている構成要素はあくまで例示であり、本発明を実施形態に記載されたものだけに限定するものではない。
【００１６】
（第１の実施の形態）
（画像形成装置の全体的な構成と動作）
図１は、実施例１に係る画像形成装置３００の概略構成を示す断面図である。
【００１７】
本実施例の画像形成装置３００は、図２のように揮発性のキャリア液２１中にトナー２２が分散された液体現像剤を用いる、電子写真方式を利用した湿式の画像形成装置である。
【００１８】
本実施例では、画像形成ユニット１０、液体現像剤１３を用いてメディア１４上に画像を形成する画像形成部として機能する。画像形成装置３００は、静電潜像を担持する像担持体として、回転可能なドラム型（円筒形）の電子写真感光体（感光体）である感光ドラム１９を有する。感光ドラム１９は、反時計回りに回転駆動される。画像形成装置３００において、感光ドラム１９の周囲には、感光ドラム１９の回転方向に沿って順に、次の各機器が配置されている。まず、帯電手段としての帯電器１７が配置されている。次に、露光手段としての露光装置１６が配置されている。露光装置１６は、帯電した感光ドラム１９の表面に画像情報に応じた光を照射して、感光ドラム１上に静電潜像（静電像）を形成するものである。
【００１９】
次に、現像手段としての現像装置１５が配置されている。現像装置１５は、液体現像剤を収容する収容部（不図示）を備え、液体現像剤を用いて感光ドラム１９上の静電潜像を現像する。次に、転写手段としての転写ローラ２０が配置されている。転写ローラ２０は、感光ドラム１９に向けて押圧され、画像を形成する。
【００２０】
次に、感光体のクリーニング手段としてのクリーニング装置１８が配置されている。クリーニング装置１８は、感光ドラム１９の表面に当接して配置されたクリーニングブレードを有する。クリーニングブレードは、ウレタンゴムなどからなるゴム部と、このゴム部を支持する金属の板などからなる支持部とを有する。クリーニングブレードは、一次転写後の感光ドラム１９に残存する液体現像剤を掻き落として感光ドラム１９上から除去する。
【００２１】
また、画像形成装置３００は、各画像形成ユニット１０の各感光ドラム１９と対向するように、中間転写体としての無端状のベルト（エンドレスベルト）で構成された中間転写ベルトを有し、中間転写体を介してメディア上に画像を形成してもよい。
【００２２】
（液体現像剤）
図２は、記録媒体上での液体現像剤の断面を模式的に表した図である。液体現像剤１３は、キャリア液２１の中に、トナー２２が分散した構成である。トナー２２は顔料２４を含有している。
【００２３】
キャリア液は揮発性のキャリア液２１である。出力物中のキャリア液残留物がなくなればよい。キャリア液２１を蒸発しつつ、トナーが融解し、平坦性、接着性を発現するものであればよい。キャリア液中もしくはトナー中には、電磁波を吸収し熱に変換する光吸収材料を混合してもよい。
【００２４】
（電磁波照射装置）
図１における電磁波照射装置１１は、光源として赤外線を放射する、ハロゲンヒーター、石英管ヒーター、セラミックヒーターを用いる。もしくは、紫外線を放射すＵＶ−ＬＥＤ等を用いる。図１の電磁波照射装置は一つであるが、搬送方向に複数の電磁波照射装置を並べてもよい。電磁波の波長は、キャリア液中もしくはトナー中に入れた電磁波を吸収し熱に変換する光吸収材料に合わせて選択することもできる。
【００２５】
（記録媒体搬送装置）
図３は記録媒体搬送装置と電磁波照射装置１２の断面図である。
【００２６】
まず、図３を用いて初めに記録材搬送装置３０について説明する。
【００２７】
記録材搬送装置３０は転写部によりメディア１４上に未定着画像を載せたメディア１４が進入し、搬送され次の排出ユニットへと受け渡すユニットである。
【００２８】
記録材搬送装置３０は多数の穴が設けられた無端状の搬送ベルト３１と、この搬送ベルト３１を張架する駆動ローラ３５および従動ローラ３６、３７、３８を備えている。搬送ベルト３１は駆動ローラ３５を介して駆動モータ（不図示）により図中矢印Ｒ２の方向に回転する。
【００２９】
本実施例における搬送ベルト３１は、幅が３５０ｍｍ、周長は９００ｍｍである。材質はＰＩ樹脂を採用している。搬送ベルト３１は周速度１０００ｍｍ／ｓで回転している。搬送ベルト３１の内側には、エアー吸引システムが配置されている。
【００３０】
エアー吸引システムの詳細は穴あき吸引プレート３０６と穴あきプレートに密着するように固定された耐熱樹脂から成るボックス３０７が配置される。耐熱樹脂からなら吸引ボックス３０７は二つのチャンバーがありそれぞれのチャンバーには空気の通過するダクト３０８が連結され、その先にエアー吸引用のファン３０９が取り付けられている。そして、穴あき吸引プレート３０６はその表面が搬送ベルト３１の内側に摺動するように固定されている。
【００３１】
即ち、吸引ファンは空気を搬送ベルト３１の上面側から吸い込んで、奥の方向へのエアーフローを常時形成する。そして、搬送するべきメディア１４が搬送ベルト３１上に来た際は、搬送ベルト３１上面にメディア１４の未定着画像の無い側（裏側）を吸着搬送する。
記録材搬送部３０は、画像形成部１０により画像１５が形成されたメディア１４を搬送ベルト３１上に担持し、メディア１４が紫外線照射装置１２の下を通過するように、メディア１４を搬送する。
【００３２】
（現像剤の温度差）
図４は、（１）輻射（２）メディア搬送方向に垂直な伝達／伝導（３）メディア搬送方向に水平な伝導の各熱移動における現像剤の「熱の流れ」と「熱量分布」を説明する図である。
【００３３】
まず初めに加熱源によって現像剤とメディアが加熱される（（１）輻射）。加熱される対象は現像剤と紙であるが、以下メディアは省略して現像剤と記述する。また、以下で現像剤の熱容量や熱量と記述するが、現像剤とメディアをあわせた熱容量や熱量を意味する。続いて、吸引穴上と吸引穴周辺のベルト方向（吸引穴上は空気方向）へ熱伝達／伝導する（（２）メディア搬送方向に垂直な伝達／伝導）。空気は熱伝達しにくいため、吸引穴上と周辺間で熱量差が発生すると考えている。この熱量差により、吸引穴上と穴周辺の現像剤温度に差が発生するため、熱伝導がおきると考えている（（３）メディア搬送方向に水平な伝導）。
【００３４】
以下、詳細を説明する。加熱源によって現像剤が熱量Ｑで加熱される。したがって、吸引穴位置の現像剤熱量も吸引穴周辺の現像剤熱量もＱとなる。したがって、吸引穴位置の現像剤温度ＴはＴ＝Ｑ／Ｃｐとなり、周辺の現像剤温度ＴはＴ＝（式３）＝Ｑ／Ｃｐとなる。ここでは図４のとおり、「吸引穴の位置」の面積は「吸引穴周辺の位置」の面積の半分であるから、吸引穴の位置の熱容量をＣｐとすると、穴周辺の熱容量は２Ｃｐとなる。
【００３５】
２Ｑ／２Ｃｐ            ・・・（式３）
吸引穴位置は、熱伝達が対空気のため小さいと考えられ、吸引穴位置の熱量は略Ｑのままであり、吸引穴位置の現像剤温度Ｔ＝Ｑ／Ｃｐ（＝Ｔ２０）となる。周辺の現像剤温度は（２）伝達／伝導差のためＴ＝（式４）＝（式５）であり、（式５）＝Ｔ１０である。
【００３６】
（２Ｑ−２Ｑ２）／２Ｃｐ・・・（式４）
（Ｑ−Ｑ２）／Ｃｐ      ・・・（式５）
このように、ベルト方向への（２）伝達／伝導のため、吸引穴上部の現像剤温度Ｔ２０（＝（Ｑ／Ｃｐ））が吸引穴周辺の現像剤温度Ｔ１０（＝（式５））より高くなる。したがって、吸引穴位置の現像剤の熱量が周辺に拡散する。この拡散する熱量をＱ１とすると、熱伝導方程式から（式６）である。Ａは定数である。Ｔ２０はベルト方向への（２）伝達／伝導後の吸引穴上の現像剤温度、Ｔ１０は吸引穴周辺の現像剤温度である。温度勾配が発生する距離ｘは穴の中心から穴端部までとするとΦ／２（Φは吸引穴の直径である）であり、（式７）となる。
【００３７】
Ｑ１＝Ａλｐ（Ｔ２０−Ｔ１０）／ｘ  ・・・（式６）
Ｑ１＝２Ａλｐ（Ｔ２０−Ｔ１０）／Φ・・・（式７）
（３）伝導後の吸引穴上部の現像剤温度をＴ２、穴周辺部の現像剤温度をＴ１とすると、現像剤の度差ΔＴは、ΔＴ＝Ｔ２−Ｔ１である。Ｔ２は図４の（３）伝導後であるから、吸引穴上の現像剤の熱量はＱ−２Ｑ１、吸引穴周辺の熱量は２（Ｑ−Ｑ２＋Ｑ１）である。したがって、吸引穴上の現像剤の温度Ｔ２はＴ２＝（Ｑ−２Ｑ１）／Ｃｐとなり、吸引穴周辺の現像剤の温度はＴ１＝２（Ｑ−Ｑ２＋Ｑ１）／２Ｃｐである。したがって、ΔＴ＝Ｔ２−Ｔ１＝（式８）＝（式９）となる。Ｑ１は熱伝導する熱量であるから、Ｑ１はλ／Φに比例する。
【００３８】
（Ｑ−２Ｑ１  ）／Ｃｐ−（Ｑ−Ｑ２＋Ｑ１  ）／Ｃｐ・・・（式８）
（−３Ｑ１＋Ｑ２）／Ｃｐ                        ・・・（式９）
Ｑ２は現像剤からベルトへの伝導する熱の流れである。Ｑ２は搬送ベルトの熱伝導率依存の感度が小さく、搬送ベルトの熱容量が支配的であることを確認しており、Ｑ２はベルトの熱容量Ｃｂに概ね比例する（比例定数をＢとする）と考えている（Ｑ２＝Ｂ・Ｃｂ）。
【００３９】
温度差ΔＴはΔＴ＝Ｔ２−Ｔ１  ＝（式９）＝（式１０）である。ΔＴは（式９）からＱ１に負の相関であるから、温度差はΔＴ＝Ｄ（Ｃｐ／Ｑ１）と仮定し（Ｄは比例定数）、ΔＴを算出した。ΔＴ＝Ｄ（Ｃｐ／Ｑ１）に熱容量Ｃｐ  （Ｃｐ＝ｍｐｃｐ）と（式７）を入力すると、ΔＴ＝（式１０）となる（Ｑ１は前述のＱ１＝（式７）とＣｐ＝ｍｐ・ｃｐを用いた）。
ただし、紙に対して現像剤の膜厚は薄い場合、紙の物性値が支配的であるため、紙の物性を用いた。ただし、現像剤の膜厚が紙の膜厚の１０分１以下の場合である。それ以上の場合は現像剤と紙の物性値の和の平均値を用いる。
【００４０】
（ＤＢ／２Ａ）・ｄｂ・Φｂ・Ｋ・・・（式１０）
Ｋ：ρｂ・ｃｂ／λｐ・ρｐ・ｄｐ・ｃｐ
ｍｐ：単位面積当たりの現像剤と紙の比熱質量（ｇ／ｃｍ２）
ｃｐ：現像剤と紙の比熱（Ｊ／ｇ・Ｋ）
ρｐ：現像剤と紙の密度（ｇ／ｃｍ３）
ｄｐ：現像剤と紙の膜厚さ（ｍｍ）
であり、ｍｐ＝ρｐｄｐの関係である。
【００４１】
λｐ：現像剤と紙の熱伝導率（Ｗ／（ｍ・Ｋ））
ｃｂ：ベルトの比熱（Ｊ／ｇ・Ｋ）
ρｂ：ベルトの密度（ｇ／ｃｍ３）
ｄｂ：ベルトの膜厚（ｍｍ）
であり、ｍｂ＝ρｂｄｂの関係である。
【００４２】
ΔＴが一定の場合、グロス段差ΔＧはある値に決まる。図５はｄｂとΦｂが反比例であるから、前述したΔＴ＝Ｄ（Ｃｐ／Ｑ１）の仮定（Ｄは比例定数）は妥当と考えている。グロス段差ΔＧはｄｂ・Φｂ・Ｋに比例する。したがってグロス段差ΔＧをある値以下にするにはｄｂ・Φｂ・Ｋをある値より小さくする必要がある。
【００４３】
（現像剤の温度（段差）の結果）
図５はグロス段差を許容範囲以下にするための搬送ベルトの膜厚さｄｂと搬送ベルトの穴径Φｂの関係をプロットした図である。○はグロス段差が１°以下かつグロス段差が視認不可の場合である。△がグロス段差１°〜２°かつ視認可否がばらつく範囲である。×がグロス段差２°以上かつ視認可の場合である。この例は、メディアがポリエチレンテレフタレート（ＰＥＴ）を用いた場合である。
【００４４】
熱伝導率λ＝０．３１（（Ｗ／（ｍ・Ｋ））
比熱ｃｐ＝１．２６（Ｊ／（ｇ・Ｋ））
比重ρｐ＝１．５７（ｇ／ｃｍ３）
膜厚ｄｐ＝７×１０−２（ｍｍ）
搬送ベルトはＥＰＤＭを用いた場合である。
【００４５】
比重ρｂ＝０．８６（ｇ／ｃｍ３）
比熱ｃｂ＝１．６（Ｊ／（ｇ・Ｋ））
グロス段差ΔＴを２°以下にするには（式１）である必要がある。（図５）ここにおけるグロスは日本電色工業製のＰＧ−１Ｍを用いた６０°の光沢度である。ＪＩＳ  Ｚ  ８７４１に準拠している。Φは紙粉等の目詰まりの観点から０．５ｍｍ以上であることが好ましい。穴径Φは真円に限らず、最大径までの距離とする。本実施の形態では紙を吸引搬送するために必要な吸着力２００Ｐａ以上にするには、穴の開口率は０．４％以上必要である。穴径を０．５ｍｍとした場合、穴の間のピッチは９．５ｍｍとなる。したがって隣接する穴間で現像剤と紙の温度が干渉する割合は無視できる。
【００４６】
本実施の形態の画像形成材料は顔料と揮発性キャリア液もしくは顔料と紫外線硬化液からなるインキであってもよい。揮発性キャリア液としては鉱物油、シリコーンオイルのような揮発しやすく電気的に絶縁性をもつ液体であればよい。ただし、前記の条件を備えれば前記のみに限らない。紫外線硬化樹脂としては、アクリレート系もしくはビニルエーテル系の液体モノマーに紫外線を吸収し重合を開始させる重合開始剤を含むものであればよい。紫外線で硬化するものであれば前記モノマーに限らない。
【００４７】
（第２の実施の形態）
図６はグロス段差を１°以下にするための搬送ベルトの膜厚ｄ（ｍｍ）と搬送ベルトの穴径φ（ｍｍ）の関係をプロットした図である。メディアはポリエチレンテレフタレート（ＰＥＴ）を用いた場合である。具体的には曲線の左下の範囲である搬送ベルトの膜厚ｄ（ｍｍ）と搬送ベルトの穴径φ（ｍｍ）の範囲のベルトを用いればよい。
【００４８】
ここで示している範囲は、メディアとしてポリエチレンテレフタレート（ＰＥＴ）を用い、搬送ベルトはＥＰＤＭを用いた場合である。ポリエチレンテレフタレート（ＰＥＴ）とＥＰＤＭの物性値は、第１の実施の形態と同じである。
【００４９】
第２の実施の形態では、第１の実施の形態と違い表面性が粗く、グロスが低いメディアの場合である。具体的には３０以下の場合である。グロスが３０°以下になるとグロスの絶対値が小さく１°以上でも視認可能となってくるからグロス段差を１°以下とする必要がある。
グロス段差を１°以下とするには、ｄｂ・Φｂ・Ｋ＜２２．５であればよい。
【００５０】
第２の実施の形態では、ｄｂ・Φｂ・Ｋ＜２２．５であるから、グロス段差を１°以下とすることができるから、表面性が粗くグロスが低いメディアでも視認困難となる。
【符号の説明】
【００５１】
１０  画像形成ユニット、１１  電磁波照射装置、１３  液体現像剤、
１４  メディア、１５  現像ユニット、１６  露光ユニット、
１７  帯電ユニット、１８  クリーニングユニット、１９  感光ドラム、
２０  転写ローラ、２１  キャリア液、２２  トナー、２３  トナー樹脂、
２４  顔料、３１  搬送ベルト、３５  駆動ローラ、３６  従動ローラ、
３７  従動ローラ、３８  従動ローラ、１００  画像形成部、２００  定着部、
３００  画像形成装置、３０６  穴あき吸引プレート、
３０７  耐熱樹脂からなら吸引ボックス、３０８  ダクト、３０９  吸引ＦＡＮ、
３１０  記録媒体搬送装置筐体
【図１】
2020166081.tif 000003
【図２】
2020166081.tif 000004
【図３】
2020166081.tif 000005
【図４】
2020166081.tif 000006
【図５】
2020166081.tif 000007
【図６】
2020166081.tif 000008